(57)【要約】【課題】ＥＵＬ通信が行われている場合に、総受信電力が発散して通信不能状態に陥るという事態を回避する。【解決手段】本発明に係る無線基地局ＮｏｄｅＢは、Ｅ-ＤＰＤＣＨに対するインナーループ送信電力制御を行う送信電力制御部１３と、測定された総受信電力が目標総受信電力を満たすように次のＴＴＩにおけるＥＵＬ通信のスケジューリング対象の移動局ＵＥに対して送信すべきＡＧを決定するスケジューリング部１６と、次のＴＴＩにおけるＥＵＬ通信のスケジューリング対象の移動局ＵＥに対して決定されたＡＧを送信するスケジューリング許可情報送信部１７と、は、一般上り通信を提供しているか否か或いは複数の高速上り通信を提供しているか否かに応じて目標総受信電力を変更する目標総受信電力設定部１４とを具備する。【選択図】図３
2010252048.tif 000002
【特許請求の範囲】
【請求項１】
移動局が、受信したスケジューリング許可情報に対応する高速上り通信用個別データチャネルと一般上り通信用個別制御チャネルとの間の送信電力比に基づいて、該高速上り通信用個別データチャネルを介して送信するデータ信号の送信電力を決定するように構成されている移動通信システムで用いられる無線基地局であって、
前記一般上り通信用個別制御チャネルを介して受信した制御信号の受信品質と目標受信品質とを比較することによって、該上り個別制御チャネルに対するインナーループ送信電力制御を行うように構成されている送信電力制御部と、
総受信電力を測定するように構成されている総受信電力測定部と、
目標総受信電力を設定するように構成されている目標総受信電力設定部と、
前記総受信電力測定部によって測定された前記総受信電力が、前記目標総受信電力設定部によって設定された前記目標総受信電力を満たすように、次の時間スロットにおける前記高速上り通信のスケジューリング対象の移動局に対して送信すべきスケジューリング許可情報を決定するように構成されているスケジューリング部と、
前記次のＴＴＩにおける前記高速上り通信のスケジューリング対象の移動局に対して、前記スケジューリング部によって決定された前記スケジューリング許可情報を送信するように構成されているスケジューリング許可情報送信部とを具備し、
前記目標総受信電力設定部は、前記一般上り通信を提供しているか否か或いは複数の前記高速上り通信を提供しているか否かに応じて、前記目標総受信電力を変更するように構成されていることを特徴とする無線基地局。
【請求項２】
前記目標総受信電力設定部は、前記一般上り通信を提供している場合或いは複数の前記高速上り通信を提供している場合の目標総受信電力を、該一般上り通信を提供していない場合或いは複数の前記高速上り通信を提供していない場合の目標総受信電力よりも小さくするように構成されていることを特徴とする請求項１に記載の無線基地局。
【請求項３】
前記スケジューリング部は、各ＴＴＩにおいて、１つの移動局を、前記高速上り通信のスケジューリング対象の移動局とするように構成されており、
前記スケジューリング許可情報送信部は、前記高速上り通信のスケジューリング対象の移動局ＵＥを切り替える際に、前記次のＴＴＩにおける前記高速上り通信のスケジューリング対象の１つの移動局に対して、前記スケジューリング部によって決定された前記スケジューリング許可情報を送信し、現在のＴＴＩにおける高速上り通信のスケジューリング対象の１つの移動局に対して、該次のＴＴＩにおいて前記高速上り通信用個別データチャネルを介したデータ信号の送信を停止するように指示するスケジューリング許可情報を送信するように構成されていることを特徴とする請求項１又は２に記載の無線基地局。
【請求項４】
前記目標総受信電力設定部は、無線制御装置から、前記一般上り通信用個別制御チャネル及び一般上り通信用個別データチャネルを設定するように要求するメッセージを受信した場合に、前記目標総受信電力を変更するように構成されていることを特徴とする請求項１乃至３のいずれか一項に記載の無線基地局。
【発明の詳細な説明】
【技術分野】
【０００１】
本発明は、無線基地局に関する。
【背景技術】
【０００２】
ＷＣＤＭＡ方式の移動通信システムにおいて、「ＥＵＬ（Ｅｎｈａｎｃｅｄ  Ｕｐｌｉｎｋ）通信」と呼ばれる高速上り通信を提供することが検討されている。
【０００３】
ＥＵＬ通信では、移動局ＵＥは、受信したスケジューリング許可情報（ＡＧ：Ａｂｓｏｌｕｔｅ  Ｇｒａｎｔ）に対応する高速上り通信用個別データチャネル（Ｅ-ＤＰＤＣＨ：Ｅ-ＤＣＨ  Ｄｅｄｉｃａｔｅｄ  Ｐｈｙｓｉｃａｌ  Ｄａｔａ  Ｃｈａｎｎｅｌ）と一般上り通信用個別制御チャネル（ＤＰＣＣＨ：Ｄｅｄｉｃａｔｅｄ  Ｐｈｙｓｉｃａｌ  Ｃｏｎｔｒｏｌ  Ｃｈａｎｎｅｌ）との間の送信電力比に基づいて、Ｅ-ＤＰＤＣＨを介して送信するデータ信号の送信電力を決定するように構成されている。
【０００４】
ここで、無線基地局ＮｏｄｅＢは、ＤＰＣＣＨを介して受信した制御信号の受信品質（例えば、受信ＳＩＲ）と目標受信品質（例えば、目標受信ＳＩＲ）とを比較することによって、ＤＰＣＣＨに対するインナーループ送信電力制御を行うように構成されている。
【０００５】
また、ＥＵＬ通信では、無線基地局ＮｏｄｅＢは、総受信電力（ＲＴＷＰ：Ｒｅｃｅｉｖｅｄ  Ｔｏｔａｌ  Ｗｉｄｅｂａｎｄ  Ｐｏｗｅｒ）が、目標総受信電力（目標ＲＴＷＰ）を満たすように、次の時間スロット（ＴＴＩ：Ｔｒａｎｓｍｉｓｓｉｏｎ  Ｔｉｍｅ  Ｉｎｔｅｒｖａｌ）におけるスケジューリング対象の移動局ＵＥに対して送信すべきスケジューリング許可情報を決定するように構成されている。
【０００６】
ここで、ＲＴＷＰは、ＥＵＬ通信におけるデータ信号及び制御信号と、一般上り通信におけるデータ信号及び制御信号と、雑音電力との和によって形成される電力である。
【先行技術文献】
【非特許文献】
【０００７】
【非特許文献１】３ＧＰＰ  ＴＳ２５.３０９  Ｖ６.５.０、２００５年１２月
【発明の概要】
【発明が解決しようとする課題】
【０００８】
しかしながら、目標ＲＴＷＰが適切に設定されていない場合、特に、目標ＲＴＷＰが高く設定され過ぎている場合、以下のような問題点が発生する。
【０００９】
第１に、無線基地局ＮｏｄｅＢにおいて、ＥＵＬ通信が行われている状態で、新たな移動局ＵＥ＃２との間で一般上り通信が開始されると、ＥＵＬ通信では、目標ＲＴＷＰが無線基地局ＮｏｄｅＢにおける最大許容受信電力近くに設定されているため、かかる一般上り通信に係るＤＰＣＣＨを介して受信した制御信号の目標ＳＩＲが満たされず、かかるＤＰＣＣＨに対するインナーループ送信電力制御によって、ＤＰＣＣＨを介して送信する制御信号及びＤＰＤＣＨを介して送信するデータ信号の送信電力が上昇する。
【００１０】
ここで、ＤＰＤＣＨを介して送信するデータ信号の送信電力は、ＤＰＣＣＨを介して送信する制御信号の送信電力を、所定オフセット分だけ大きくしたものである。
【００１１】
第２に、ＤＰＣＣＨを介して送信する制御信号及びＤＰＤＣＨを介して送信するデータ信号の送信電力が上昇するため、無線基地局ＮｏｄｅＢにおいて、上述のＥＵＬ通信に係るＤＰＣＣＨを介して受信した制御信号の目標ＳＩＲが満たされず、かかるＤＰＣＣＨに対するインナーループ送信電力制御によって、ＤＰＣＣＨを介して送信する制御信号及びＥ-ＤＰＤＣＨを介して送信するデータ信号の送信電力が上昇する。
【００１２】
その結果、上述の一般上り通信に係るＤＰＣＣＨを介して送信する制御信号及びＤＰＤＣＨを介して送信するデータ信号の送信電力がさらに上昇し、その後、上述のＥＵＬ通信に係るＤＰＣＣＨを介して送信する制御信号及びＥ-ＤＰＤＣＨを介して送信するデータ信号の送信電力がさらに上昇するという現象が繰り返されるために、無線基地局ＮｏｄｅＢにおけるＲＴＷＰが発散して通信不能状態に陥ってしまうという問題点があった。
【００１３】
そこで、本発明は、上述の課題に鑑みてなされたものであり、ＥＵＬ通信のような高速上り通信が行われている場合に、総受信電力が発散して通信不能状態に陥るという事態を回避することができる無線基地局を提供することを目的とする。
【課題を解決するための手段】
【００１４】
本発明の第１の特徴は、移動局が、受信したスケジューリング許可情報に対応する高速上り通信用個別データチャネルと一般上り通信用個別制御チャネルとの間の送信電力比に基づいて、該高速上り通信用個別データチャネルを介して送信するデータ信号の送信電力を決定するように構成されている移動通信システムで用いられる無線基地局であって、前記一般上り通信用個別制御チャネルを介して受信した制御信号の受信品質と目標受信品質とを比較することによって、該一般上り通信用チャネルに対するインナーループ送信電力制御を行うように構成されている送信電力制御部と、総受信電力を測定するように構成されている総受信電力測定部と、目標総受信電力を設定するように構成されている目標総受信電力設定部と、前記総受信電力測定部によって測定された前記総受信電力が、前記目標総受信電力設定部によって設定された前記目標総受信電力を満たすように、次の時間スロットにおける前記高速上り通信のスケジューリング対象の移動局に対して送信すべきスケジューリング許可情報を決定するように構成されているスケジューリング部と、前記次の時間スロットにおける前記高速上り通信のスケジューリング対象の移動局に対して、前記スケジューリング部によって決定された前記スケジューリング許可情報を送信するように構成されているスケジューリング許可情報送信部とを具備し、前記目標総受信電力設定部は、前記一般上り通信を提供しているか否か或いは複数の前記高速上り通信を提供しているか否かに応じて、前記目標総受信電力を変更するように構成されていることを要旨とする。
【００１５】
本発明の第１の特徴において、前記目標総受信電力設定部は、前記一般上り通信を提供している場合或いは複数の前記高速上り通信を提供している場合の目標総受信電力を、該一般上り通信を提供していない場合或いは複数の前記高速上り通信を提供していない場合の目標総受信電力よりも小さくするように構成されていてもよい。
【００１６】
本発明の第１の特徴において、前記スケジューリング部は、各時間スロットにおいて、１つの移動局を、前記高速上り通信のスケジューリング対象の移動局とするように構成されており、前記スケジューリング許可情報送信部は、前記高速上り通信のスケジューリング対象の移動局ＵＥを切り替える際に、前記次の時間スロットにおける前記高速上り通信のスケジューリング対象の１つの移動局に対して、前記スケジューリング部によって決定された前記スケジューリング許可情報を送信し、現在の時間スロットにおける高速上り通信のスケジューリング対象の１つの移動局に対して、該次の時間スロットにおいて前記高速上り通信用個別データチャネルを介したデータ信号の送信を停止するように指示するスケジューリング許可情報を送信するように構成されていてもよい。
【００１７】
本発明の第１の特徴において、前記目標総受信電力設定部は、無線制御装置から、前記一般上り通信用個別制御チャネル及び一般上り通信用個別データチャネルを設定するように要求するメッセージを受信した場合に、前記目標総受信電力を変更するように構成されていてもよい。
【発明の効果】
【００１８】
以上説明したように、本発明によれば、ＥＵＬ通信のような高速上り通信が行われている場合に、総受信電力が発散して通信不能状態に陥るという事態を回避することができる無線基地局を提供することができる。
【図面の簡単な説明】
【００１９】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によるスケジューリングについて説明するための図である。
【図４】本発明の第１の実施形態に係る無線基地局の動作について説明するフローチャートである。
【図５】本発明の第１の実施形態に係る無線基地局の動作について説明するフローチャートである。
【発明を実施するための形態】
【００２０】
（本発明の第１の実施形態に係る移動通信システムの構成）
図１乃至図３を参照して、本発明の第１の実施形態に係る移動通信システムの構成について説明する。
【００２１】
図１に示すように、本実施形態に係る移動通信システムは、無線基地局ＮｏｄｅＢと移動局ＵＥとの間で、ＥＵＬ通信（高速上り通信）及び一般上り通信を提供することができるように構成されている。
【００２２】
すなわち、本実施形態に係る移動通信システムでは、無線基地局ＮｏｄｅＢと移動局ＵＥとの間で、下りチャネルとして、絶対的許可チャネル（Ｅ-ＡＧＣＨ：Ｅ-ＤＣＨ  Ａｂｓｏｌｕｔｅ  Ｇｒａｎｔ  Ｃｈａｎｎｅｌ）や相対的許可チャネル（Ｅ-ＲＧＣＨ：Ｅ-ＤＣＨ  Ｒｅｌａｔｉｖｅ  Ｇｒａｎｔ  Ｃｈａｎｎｅｌ）や通常下り通信用個別制御チャネル（ＤＰＣＣＨ：Ｄｅｄｉｃａｔｅｄ  Ｐｈｙｓｉｃａｌ  Ｃｏｎｔｒｏｌ  Ｃｈａｎｎｅｌ）や通常下り通信用個別データチャネル（ＤＰＤＣＨ：Ｄｅｄｉｃａｔｅｄ  Ｐｈｙｓｉｃａｌ  Ｄａｔａ  Ｃｈａｎｎｅｌ）等が設定可能であり、上りチャネルとして、ＥＵＬ通信用個別データチャネル（Ｅ-ＤＰＤＣＨ：Ｅ-ＤＣＨ  Ｄｅｄｉｃａｔｅｄ  Ｐｈｙｓｉｃａｌ  Ｄａｔａ  Ｃｈａｎｎｅｌ）やＥＵＬ通信用個別制御チャネル（Ｅ-ＤＰＣＣＨ：Ｅ-ＤＣＨ  Ｄｅｄｉｃａｔｅｄ  Ｐｈｙｓｉｃａｌ  Ｃｏｎｔｒｏｌ  Ｃｈａｎｎｅｌ）や一般上り通信用個別制御チャネルや一般上り通信用個別データチャネル等が設定可能である。
【００２３】
本実施形態に係る移動通信システムにおいて、ＥＵＬ通信が行われている場合には、各ＴＴＩにおけるスケジューリング対象の移動局ＵＥが、無線基地局ＮｏｄｅＢから受信したＡＧ（スケジューリング許可情報）に対応するＥ-ＤＰＤＣＨとＤＰＣＣＨとの間の送信電力比（或いは、Ｅ-ＤＰＤＣＨとＤＰＣＣＨとの間の送信振幅比）に基づいて、Ｅ-ＤＰＤＣＨを介して送信するデータ信号の送信電力（或いは、送信振幅）を決定するように構成されている。
【００２４】
なお、ＥＵＬでは、ＴＴＩは、２ｍｓ又は１０ｍｓとなるように規定されている。
【００２５】
図２に示すように、本実施形態に係る無線基地局ＮｏｄｅＢは、目標受信ＳＩＲ設定部１１と、受信ＳＩＲ測定部１２と、ＤＰＣＣＨ用送信電力制御部１３と、
目標ＲＴＷＰ設定部１４と、ＲＴＷＰ測定部１５と、ＥＵＬ通信用スケジューリング部１６と、Ｅ-ＡＧＣＨ送信部１７と、コネクション設定部１８とを具備している。
【００２６】
目標受信ＳＩＲ設定部１１は、ＤＰＣＣＨを介して受信した制御信号の目標受信品質（例えば、目標受信ＳＩＲ）を設定するように構成されている。
【００２７】
受信ＳＩＲ測定部１２は、ＤＰＣＣＨを介して受信した制御信号の受信品質（例えば、受信ＳＩＲ）を測定するように構成されている。
【００２８】
ＤＰＣＣＨ用送信電力制御部１３は、ＤＰＣＣＨを介して受信した制御信号の受信品質（例えば、受信ＳＩＲ）と目標受信品質（例えば、目標受信ＳＩＲ）とを比較することによって、ＤＰＣＣＨに対するインナーループ送信電力制御を行うように構成されている。
【００２９】
具体的には、ＤＰＣＣＨ用送信電力制御部１３は、ＤＰＣＣＨに対するインナーループ送信電力制御を行うことによって、移動局ＵＥにおいてＤＰＣＣＨを介して送信する制御信号の送信電力の増減を指示する送信電力制御（ＴＰＣ：Ｔｒａｎｓｍｉｓｓｉｏｎ  Ｐｏｗｅｒ  Ｃｏｎｔｒｏｌ）コマンドを、当該移動局ＵＥに送信するように構成されている。
【００３０】
ここで、例えば、１スロット毎に、ＤＰＣＣＨに対するインナーループ送信電力制御が行われてもよい。
【００３１】
目標ＲＴＷＰ設定部１４は、無線基地局ＮｏｄｅＢにおける目標ＲＴＷＰを設定するように構成されている。
【００３２】
ここで、目標ＲＴＷＰ設定部１４は、無線基地局ＮｏｄｅＢにおいて一般上り通信を提供しているか否かに応じて、すなわち、上りチャネルとしてのＤＰＤＣＨが設定されているか否かに応じて、目標ＲＴＷＰを変更するように構成されていてもよい。
【００３３】
或いは、目標ＲＴＷＰ設定部１４は、無線基地局ＮｏｄｅＢにおいて複数の高速上り通信を提供しているか否かに応じて、すなわち、上りチャネルとして複数のＥ-ＤＰＤＣＨ及びＥ-ＤＰＣＣＨが設定されているか否かに応じて、目標ＲＴＷＰを変更するように構成されていてもよい。
【００３４】
また、目標ＲＴＷＰ設定部１４は、無線基地局ＮｏｄｅＢにおいて一般上り通信を提供している場合の目標ＲＴＷＰを、無線基地局ＮｏｄｅＢにおいて一般上り通信を提供していない場合の目標ＲＴＷＰよりも小さくするように構成されていてもよい。
【００３５】
或いは、目標ＲＴＷＰ設定部１４は、無線基地局ＮｏｄｅＢにおいて複数の高速上り通信を提供している場合の目標ＲＴＷＰを、無線基地局ＮｏｄｅＢにおいて複数の高速上り通信を提供していない場合の目標ＲＴＷＰよりも小さくするように構成されていてもよい。
【００３６】
例えば、図３に示すように、時刻ｔ０〜ｔ１の期間は、無線基地局ＮｏｄｅＢにおいて、１つの移動局ＵＥに対するＥＵＬ通信のみが行われており、一般上り通信が行われていない。目標ＲＴＷＰ設定部１４は、かかる期間において、目標ＲＴＷＰを「Ｘ１」と設定している。
【００３７】
その後、時刻ｔ１において、無線基地局ＮｏｄｅＢにおいて、新規の一般上り通信或いは高速上り通信が開始される、すなわち、上りチャネルとして新規のＤＰＤＣＨ及びＤＰＣＣＨ或いはＥ-ＤＰＣＣＨ及びＥ-ＤＰＣＣＨが設定される。その結果、目標ＲＴＷＰ設定部１４は、時刻ｔ１以降の目標ＲＴＷＰを、「Ｘ１」から「Ｘ２」に下げている。
【００３８】
すなわち、目標ＲＴＷＰ設定部１４は、無線基地局ＮｏｄｅＢにおいて、一般上り通信が開始される、すなわち、上りチャネルとしてのＤＰＤＣＨ及びＤＰＣＣＨが設定された場合に、目標ＲＴＷＰを小さくするように構成されている。
【００３９】
或いは、目標ＲＴＷＰ設定部１４は、無線基地局ＮｏｄｅＢにおいて、新規の高速上り通信が開始される、すなわち、上りチャネルとして複数のＥ-ＤＰＤＣＨ及びＥ-ＤＰＣＣＨが設定された場合に、目標ＲＴＷＰを小さくするように構成されている。
【００４０】
また、目標ＲＴＷＰ設定部１４は、無線基地局ＮｏｄｅＢにおいて、一般上り通信が終了する、すなわち、上りチャネルとしてのＤＰＤＣＨ及びＤＰＣＣＨが解放された場合に、目標ＲＴＷＰを大きくするように構成されていてもよい。
【００４１】
或いは、目標ＲＴＷＰ設定部１４は、無線基地局ＮｏｄｅＢにおいて、１つの高速上り通信以外の高速上り通信が解放される、すなわち、上りチャネルとして１つ以外のＥ-ＤＰＤＣＨ及びＥ-ＤＰＣＣＨが解放された場合に、目標ＲＴＷＰを小さくするように構成されている。
【００４２】
なお、目標ＲＴＷＰ設定部１４は、無線制御装置ＲＮＣから、上りチャネルとしてのＤＰＤＣＨ及びＤＰＣＣＨを設定するように要求するＮＢＡＰメッセージ「Ｒａｄｉｏ  Ｌｉｎｋ  Ｓｅｔｕｐ  Ｒｅｑｕｅｓｔ」を受信した場合に、目標総受信電力を変更するように構成されていてもよい。
【００４３】
例えば、目標ＲＴＷＰ設定部１４は、高い方の目標ＲＴＷＰである「Ｘ１」を、移動局によってＰＲＡＣＨ（Ｐｈｙｓｉｃａｌ  Ｒａｎｄｏｍ  Ａｃｃｅｓｓ  Ｃｈａｎｎｅｌ）を介して送信されるＲＲＣメッセージ「ＲＲＣ  Ｃｏｎｎｅｃｔｉｏｎ  Ｒｅｑｕｅｓｔ」を受信できる程度の値としておき、ＮＢＡＰメッセージ「Ｒａｄｉｏ  Ｌｉｎｋ  Ｓｅｔｕｐ  Ｒｅｑｕｅｓｔ」を受信した場合に、低い方の目標ＲＴＷＰである「Ｘ２」を、移動局によって送信されるＲＲＣメッセージ「ＲＲＣ  Ｃｏｎｎｅｃｔｉｏｎ  Ｓｅｔｕｐ  Ｃｏｍｐｌｅｔｅ」を受信できる程度の値としてもよい。
【００４４】
或いは、目標ＲＴＷＰ設定部１４は、無線基地局ＮｏｄｅＢ配下で一般上り通信を行っていた移動局ＵＥが高速上り通信を開始したことを検知した場合に、目標総受信電力を変更するように構成されていてもよい。
【００４５】
また、目標ＲＴＷＰ設定部１４は、高速上り通信を行っている移動局ＵＥがハンドオーバによって無線基地局ＮｏｄｅＢ配下に移動してきた場合に、目標総受信電力を変更するように構成されていてもよい。
【００４６】
このように、目標ＲＴＷＰ設定部１４は、無線基地局ＮｏｄｅＢ配下における移動局ＵＥの通信数が変更になる場合に、目標総受信電力を変更するように構成されていてもよい。
【００４７】
ＲＴＷＰ測定部１５は、無線基地局ＮｏｄｅＢにおけるＲＴＷＰを測定するように構成されている。
【００４８】
ＥＵＬ通信用スケジューリング部１６は、各ＴＴＩにおいて、スケジューリング対象の移動局ＵＥ、及び、かかるスケジューリング対象の移動局ＵＥに対して割り当てるＡＧを決定するように構成されている。
【００４９】
具体的には、ＥＵＬ通信用スケジューリング部１６は、ＲＴＷＰ測定部１５によって測定されたＲＴＷＰが、目標ＲＴＷＰ設定部１４によって設定された目標ＲＴＷＰを満たすように、次のＴＴＩにおけるＥＵＬ通信のスケジューリング対象の移動局ＵＥに対して送信すべきＡＧを決定するように構成されている。
【００５０】
また、ＥＵＬ通信用スケジューリング部１６は、各ＴＴＩにおいて、１つの移動局ＵＥを、ＥＵＬ通信のスケジューリング対象の移動局ＵＥとするように構成されていてもよい。
【００５１】
ここで、例えば、最短で、３スロット毎に、ＡＧの値が変更されてもよい。
【００５２】
Ｅ-ＡＧＣＨ送信部１７は、Ｅ-ＡＧＣＨを介して、次のＴＴＩにおけるＥＵＬ通信のスケジューリング対象の移動局ＵＥに対して、ＥＵＬ通信用スケジューリング部１６によって決定されたＡＧを送信するように構成されている。
【００５３】
具体的には、Ｅ-ＡＧＣＨ送信部１７は、ＥＵＬ通信のスケジューリング対象の移動局ＵＥを切り替える際に、次のＴＴＩにおけるＥＵＬ通信のスケジューリング対象の１つの移動局ＵＥに対して、ＥＵＬ通信用スケジューリング部１６によって決定されたＡＧを送信し、現在のＴＴＩにおけるＥＵＬ通信のスケジューリング対象の１つの移動局ＵＥに対して、次のＴＴＩにおいてＥ-ＤＰＤＣＨを介したデータ信号の送信を停止するように指示する「Ｚｅｒｏ  Ｇｒａｎｔ（スケジューリング許可情報）」を送信するように構成されていてもよい。
【００５４】
コネクション設定部１８は、上述した上りチャネルや下りチャネルについての設定処理を行うように構成されている。
【００５５】
（本発明の第１の実施形態に係る移動通信システムの動作）
図４及び図５を参照して、本発明の第１の実施形態に係る移動通信システムで用いられる無線基地局ＮｏｄｅＢの動作について説明する。
【００５６】
第１に、図４を参照して、ＥＵＬ通信が行われている場合の無線基地局ＮｏｄｅＢにおいて行われるスケジューリング処理について説明する。
【００５７】
図４に示すように、ステップＳ１０１において、無線基地局ＮｏｄｅＢは、各ＴＴＩにおいて、ＲＴＷＰを測定する。
【００５８】
ステップＳ１０２において、無線基地局ＮｏｄｅＢは、次のＴＴＩにおけるＲＴＷＰが目標ＲＴＷＰを満たすように、次のＴＴＩにおけるスケジュール対象の移動局ＵＥに対して送信すべきＡＧを決定する。
【００５９】
ステップＳ１０３において、無線基地局ＮｏｄｅＢは、Ｅ-ＡＧＣＨを介して、かかるＡＧを、次のＴＴＩにおけるスケジュール対象の移動局ＵＥに対して送信する。
【００６０】
第２に、図４を参照して、ＥＵＬ通信が行われている場合の無線基地局ＮｏｄｅＢにおいて行われる目標ＲＴＷＰの変更処理について説明する。
【００６１】
図５に示すように、無線基地局ＮｏｄｅＢにおいて、ＥＵＬ通信用コネクション（Ｅ-ＤＰＤＣＨ及びＥ-ＤＰＣＣＨ）のみが設定されている状態（ステップＳ２０１）で、新規コネクション（例えば、上りチャネルとしてのＤＰＤＣＨ及びＤＰＣＣＨ）が設定されると（ステップＳ２０２におけるＹＥＳ）、ステップＳ２０３において、目標ＲＴＷＰが「Ｘ１」から「Ｘ２」に下げられる。
【００６２】
その後、無線基地局ＮｏｄｅＢにおいて、ＥＵＬ通信用コネクション（Ｅ-ＤＰＤＣＨ及びＥ-ＤＰＣＣＨ）以外のコネクション（例えば、上りチャネルとしてのＤＰＤＣＨ及びＤＰＣＣＨ）が解放される、或いは、複数のＥＵＬ通信用コネクション（Ｅ-ＤＰＤＣＨ及びＥ-ＤＰＣＣＨ）が設定されていた状態で、該ＥＵＬ通信用コネクションが開放され、唯１つのＥＵＬ通信用コネクションになった場合（ステップＳ２０２におけるＹＥＳ）、ステップＳ２０１において、目標ＲＴＷＰが「Ｘ２」から「Ｘ１」に上げられる。
【００６３】
（本発明の第１の実施形態に係る移動通信システムの作用・効果）
本発明の第１の実施形態に係る移動通信システムで用いられる無線基地局ＮｏｄｅＢによれば、ＥＵＬ通信が行われている状態で、一般上り通信が開始された場合又は複数の高速上り通信が開始された場合には、目標ＲＴＷＰを下げるように構成されているため、従来のＥＵＬ通信において発生していた総受信電力が発散して通信不能状態に陥るという事態を回避することができる。
【００６４】
また、本発明の第１の実施形態に係る移動通信システムで用いられる無線基地局ＮｏｄｅＢによれば、高い方の目標ＲＴＷＰである「Ｘ１」を、ＲＲＣメッセージ「ＲＲＣ  Ｃｏｎｎｅｃｔｉｏｎ  Ｒｅｑｕｅｓｔ」を受信できる程度の値としておき、低い方の目標ＲＴＷＰである「Ｘ２」を、ＲＲＣメッセージ「ＲＲＣ  Ｃｏｎｎｅｃｔｉｏｎ  Ｓｅｔｕｐ  Ｃｏｍｐｌｅｔｅ」を受信できる程度の値とすることによって、一般上り通信用コネクションの設定時に、移動局ＵＥが、無線基地局ＮｏｄｅＢによって送信されたＲＲＣメッセージ「ＲＲＣ  Ｃｏｎｎｅｃｔｉｏｎ  Ｓｅｔｕｐ」を受信することができても、無線基地局ＮｏｄｅＢが、移動局ＵＥによって送信されたＲＲＣメッセージ「ＲＲＣ  Ｃｏｎｎｅｃｔｉｏｎ  Ｓｅｔｕｐ  Ｃｏｍｐｌｅｔｅ」を受信できないため、呼損となるという事態を回避することができる。
【００６５】
なお、上述の無線基地局ＮｏｄｅＢ及び移動局ＵＥの動作は、ハードウェアによって実施されてもよいし、プロセッサによって実行されるソフトウェアモジュールによって実施されてもよいし、両者の組み合わせによって実施されてもよい。
【００６６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ＮｏｄｅＢ及び移動局ＵＥ内に設けられていてもよい。また、かかる記憶媒体及びプロセッサは、ディスクリートコンポーネントとして無線基地局ＮｏｄｅＢ及び移動局ＵＥ内に設けられていてもよい。
【００６８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６９】
ＵＥ…移動局
ＮｏｄｅＢ…無線基地局
１１…目標受信ＳＩＲ設定部
１２…受信ＳＩＲ測定部
１３…上りＤＰＣＣＨ用送信電力制御部
１４…目標ＲＴＷＰ設定部
１５…ＲＴＷＰ測定部
１６…ＥＵＬ用スケジューリング部
１７…Ｅ-ＡＧＣＨ送信部
１８…コネクション設定部
【図１】
2010252048.tif 000003
【図２】
2010252048.tif 000004
【図３】
2010252048.tif 000005
【図４】
2010252048.tif 000006
【図５】
2010252048.tif 000007